(57)【特許請求の範囲】
【請求項１】
輪切バレル形遠心ポンプの羽根車の抜取具であって、
ガイドロッドと、
前記ガイドロッドにスライド移動可能に取り付けられたカウンタと、
前記ガイドロッドの一端側に設けられ、前記カウンタのスライド移動を規制するストッパと、
前記ガイドロッドを輪切バレル形遠心ポンプの主軸の軸心方向に沿わせるように当該ガイドロッドの他端側を当該輪切バレル形遠心ポンプの内部ケーシングに着脱可能に連結させる連結手段と
を備え、
前記連結手段が、
前記ガイドロッドの他端に形成されたおねじ部と、
前記内部ケーシングに形成されて前記ガイドロッドの前記おねじ部と螺合するめねじ部と
を備えてなり、
前記ガイドロッドを複数有すると共に、これらガイドロッドに前記カウンタおよび前記ストッパが各々設けられ、前記めねじ部が前記内部ケーシングの周方向に沿って所定の間隔で複数形成されると共に、各前記カウンタが互いに一体的に連結し、
さらに、前記カウンタが、
前記ガイドロッドにスライド移動可能に取り付けられた本体と、
前記本体の両端側に設けられたフランジと
からなり、
前記ガイドロッドと同軸をなして前記ストッパの当該ガイドロッド他端側面上に取り付けられて、前記カウンタの前記ガイドロッド他端側の前記フランジの外径と同一の内径の円筒状をなすと共に、当該カウンタの前記ガイドロッド一端側を突出させるように当該カウンタが内部に配設され、前記ガイドロッド一端寄りの外周面に内部と外部とを連通する連通孔が形成されたシリンダと、
前記シリンダの前記ガイドロッド一端側端部に取り付けられて、前記カウンタの本体の外径と同一の内径をなす環型の蓋板と、
前記シリンダの前記ガイドロッド他端側の内部に高圧縮した空気をショット的に送給するエアコンプレッサと
を設けたことを特徴とする抜取具。
【請求項２】
輪切バレル形遠心ポンプの羽根車の抜取具であって、
ガイドロッドと、
前記ガイドロッドにスライド移動可能に取り付けられたカウンタと、
前記ガイドロッドの一端側に設けられ、前記カウンタのスライド移動を規制するストッパと、
前記ガイドロッドを輪切バレル形遠心ポンプの主軸の軸心方向に沿わせるように当該ガイドロッドの他端側を当該輪切バレル形遠心ポンプの内部ケーシングに着脱可能に連結させる連結手段と
を備え、
前記連結手段が、
前記内部ケーシングに着脱可能に巻き付けられるバンドと、
前記バンドに一体的に設けられ、前記ガイドロッドの前記おねじ部と螺合するめねじ部を有する連結ブロックと
を備えてなり、
前記ガイドロッドを複数有すると共に、これらガイドロッドに前記カウンタおよび前記ストッパが各々設けられ、前記連結ブロックが前記バンドの長手方向に沿って所定の間隔で複数設けられ、
さらに、前記カウンタが、
前記ガイドロッドにスライド移動可能に取り付けられた本体と、
前記本体の両端側に設けられたフランジと
からなり、
前記ガイドロッドと同軸をなして前記ストッパの当該ガイドロッド他端側面上に取り付けられて、前記カウンタの前記ガイドロッド他端側の前記フランジの外径と同一の内径の円筒状をなすと共に、当該カウンタの前記ガイドロッド一端側を突出させるように当該カウンタが内部に配設され、前記ガイドロッド一端寄りの外周面に内部と外部とを連通する連通孔が形成されたシリンダと、
前記シリンダの前記ガイドロッド一端側端部に取り付けられて、前記カウンタの本体の外径と同一の内径をなす環型の蓋板と、
前記シリンダの前記ガイドロッド他端側の内部に高圧縮した空気をショット的に送給するエアコンプレッサと
を設けたことを特徴とする抜取具。
【発明の詳細な説明】
【０００１】
【発明の属する技術分野】
本発明は、輪切バレル形遠心ポンプの主軸に焼き嵌め固定した羽根車を当該主軸から抜き取る抜取具に関する。
【０００２】
【従来の技術】
輪切バレル形遠心ポンプの一例の要部の概略構造を図６に示す。
【０００３】
図６に示すように、回転駆動可能に支持された主軸１には、羽根車２が当該主軸１の軸心方向に沿って複数段焼き嵌め固定されている。これら羽根車２は、輪切形の内部ケーシング４で各段ごとに包囲されている。これら内部ケーシング４と羽根車２との間には、案内羽根３がそれぞれ設けられている。これら内部ケーシング４は、吸込口５ａおよび吐出口５ｂを有する外部ケーシング５で包囲されている。なお、６はケーシングカバーである。
【０００４】
このような遠心ポンプでは、主軸１を回転させて羽根車２を回転させることにより、水が吸込口５ａから吸い込まれて内部ケーシング４内に流入し、案内羽根３で案内されながら羽根車２の回転によって遠心力を与えられ、吐出口５ｂから圧力エネルギを増加されながら吐出される。
【０００５】
このような輪切バレル形遠心ポンプにおいて、保守点検等により分解する場合には、ケーシングカバー６を外して、主軸１と共に羽根車２、案内羽根３、内部ケーシング４を外部ケーシング５から一体的に取り外した後、吐出側の段から案内羽根３、羽根車２、内部ケーシング４の順で主軸１から抜き取るようにする。
【０００６】
【発明が解決しようとする課題】
ところで、羽根車２を主軸１から抜き取る場合には、羽根車２が主軸１に対して焼き嵌め固定されているため、羽根車２をバーナ等で加熱しながらハンマ等で叩き出す必要がある。しかしながら、羽根車２の叩き出し側には内部ケーシング４が位置しているため、羽根車２に打力を加えるのが容易ではなく、多大な労力と時間を要してしまっていた。
【０００７】
このため、前述したような輪切バレル形遠心ポンプにおいて、主軸１に焼き嵌め固定した羽根車２を容易に抜き取れるようにすることが強く望まれていた。
【０００８】
【課題を解決するための手段】
前述した課題を解決するための、本発明は、輪切バレル形遠心ポンプの羽根車の抜取具であって、ガイドロッドと、前記ガイドロッドにスライド移動可能に取り付けられたカウンタと、前記ガイドロッドの一端側に設けられ、前記カウンタのスライド移動を規制するストッパと、前記ガイドロッドを輪切バレル形遠心ポンプの主軸の軸心方向に沿わせるように当該ガイドロッドの他端側を当該輪切バレル形遠心ポンプの内部ケーシングに着脱可能に連結させる連結手段とを備え、前記連結手段が、前記ガイドロッドの他端に形成されたおねじ部と、前記内部ケーシングに形成されて前記ガイドロッドの前記おねじ部と螺合するめねじ部とを備えてなり、前記ガイドロッドを複数有すると共に、これらガイドロッドに前記カウンタおよび前記ストッパが各々設けられ、前記めねじ部が前記内部ケーシングの周方向に沿って所定の間隔で複数形成されると共に、各前記カウンタが互いに一体的に連結し、さらに、前記カウンタが、前記ガイドロッドにスライド移動可能に取り付けられた本体と、前記本体の両端側に設けられたフランジとからなり、前記ガイドロッドと同軸をなして前記ストッパの当該ガイドロッド他端側面上に取り付けられて、前記カウンタの前記ガイドロッド他端側の前記フランジの外径と同一の内径の円筒状をなすと共に、当該カウンタの前記ガイドロッド一端側を突出させるように当該カウンタが内部に配設され、前記ガイドロッド一端寄りの外周面に内部と外部とを連通する連通孔が形成されたシリンダと、前記シリンダの前記ガイドロッド一端側端部に取り付けられて、前記カウンタの本体の外径と同一の内径をなす環型の蓋板と、前記シリンダの前記ガイドロッド他端側の内部に高圧縮した空気をショット的に送給するエアコンプレッサとを設けたことを特徴とする抜取具である。
【００１３】
また、本発明は、輪切バレル形遠心ポンプの羽根車の抜取具であって、ガイドロッドと、前記ガイドロッドにスライド移動可能に取り付けられたカウンタと、前記ガイドロッドの一端側に設けられ、前記カウンタのスライド移動を規制するストッパと、前記ガイドロッドを輪切バレル形遠心ポンプの主軸の軸心方向に沿わせるように当該ガイドロッドの他端側を当該輪切バレル形遠心ポンプの内部ケーシングに着脱可能に連結させる連結手段とを備え、前記連結手段が、前記内部ケーシングに着脱可能に巻き付けられるバンドと、前記バンドに一体的に設けられ、前記ガイドロッドの前記おねじ部と螺合するめねじ部を有する連結ブロックとを備えてなり、前記ガイドロッドを複数有すると共に、これらガイドロッドに前記カウンタおよび前記ストッパが各々設けられ、前記連結ブロックが前記バンドの長手方向に沿って所定の間隔で複数設けられ、さらに、前記カウンタが、前記ガイドロッドにスライド移動可能に取り付けられた本体と、前記本体の両端側に設けられたフランジとからなり、前記ガイドロッドと同軸をなして前記ストッパの当該ガイドロッド他端側面上に取り付けられて、前記カウンタの前記ガイドロッド他端側の前記フランジの外径と同一の内径の円筒状をなすと共に、当該カウンタの前記ガイドロッド一端側を突出させるように当該カウンタが内部に配設され、前記ガイドロッド一端寄りの外周面に内部と外部とを連通する連通孔が形成されたシリンダと、前記シリンダの前記ガイドロッド一端側端部に取り付けられて、前記カウンタの本体の外径と同一の内径をなす環型の蓋板と、前記シリンダの前記ガイドロッド他端側の内部に高圧縮した空気をショット的に送給するエアコンプレッサとを設けたことを特徴とする抜取具である。
【００１５】
【発明の実施の形態】
本発明による抜取具の第一番目の実施の形態を図１を用いて説明する。なお、図１は、その概略説明図である。ただし、輪切バレル形遠心ポンプについては、前述した従来の技術の説明で用いた符号と同様な符号を用いることにより、その説明を省略する。
【００１６】
図１に示すように、複数（本実施の形態では二本）のガイドロッド１１には、当該ガイドロッド１１の外径と同一の内径をなす円筒型のカウンタ１２が当該ガイドロッド１１の軸心方向に沿ってスライド移動できるようにそれぞれ嵌合している。これらガイドロッド１１の一端および他端寄りには、上記カウンタ１２のスライド移動を規制するフランジ型のストッパ１３，１４がそれぞれ取り付けられている。これらガイドロッド１１の他端には、おねじ部１１ａがそれぞれ形成されている。
【００１７】
一方、輪切バレル形遠心ポンプの各内部ケーシング４の吐出側端面には、ガイドロッド１１の上記おねじ部１１ａと螺合するめねじ部４ａが当該内部ケーシング４の周方向に所定の間隔で複数（本実施の形態では等間隔で二箇所）それぞれ形成されている。
【００１８】
つまり、ガイドロッド１１のおねじ部１１ａを内部ケーシング４のめねじ部４ａに螺合すると、当該ガイドロッド１１を主軸１の軸心方向に沿わせるように内部ケーシング４に着脱可能に連結することができるのである。このような上記おねじ部１１ａ、上記めねじ部４ａなどにより、本実施の形態では連結手段を構成している。
【００１９】
このような抜取具を用いて、主軸１に焼き嵌め固定された羽根車２を当該主軸１から抜き取る場合には、最も吐出側寄りの段の内部ケーシング４の上記めねじ部４ａにガイドロッド１１のおねじ部１１ａを各々螺合して内部ケーシング４にガイドロッド１１を一体的に連結した後、最も吐出側寄りの段の羽根車２をバーナ等で必要十分に加熱したら、各カウンタ１２をガイドロッド１１の一端側から他端側へ向けてそれぞれスライド移動させてストッパ１４に同時に衝突させる。これにより、上記衝撃力がガイドロッド１１および内部ケーシング４を介して羽根車２に伝達し、当該羽根車２に吐出側方向への力が加わるので、当該羽根車２が主軸１から外れる。
【００２０】
このようにして最も吐出側寄りの段の羽根車２を主軸１から抜き取ったら、上記内部ケーシング４から上記ガイドロッド１１を取り外し、以下、上述と同様な手順を各段ごとに順次繰り返すことにより、主軸１からすべての羽根車２を抜き取ることが容易にできる。
【００２１】
したがって、このような抜取具を用いれば、輪切バレル形遠心ポンプにおいて、主軸１に焼き嵌め固定した羽根車２を容易に抜き取ることができる。
【００２２】
本発明による抜取具の第二番目の実施の形態を図２，３を用いて説明する。なお、図２は、その概略構造図、図３は、図２の III−III 線断面矢視図である。ただし、輪切バレル形遠心ポンプおよび前述した実施の形態で説明した部材と同様な部材については、前述した従来の技術および実施の形態の説明で用いた符号と同様な符号を用いることにより、その説明を省略する。
【００２３】
図２，３に示すように、各ガイドロッド１１にスライド移動可能に嵌合する各カウンタ１２は、主軸１の外径よりも大きな内径をなして当該主軸１を内側に介在させる環状の連結体２５で互いに一体的に連結されている。
【００２４】
つまり、これらカウンタ１２のうちのいずれかのカウンタ１２がスライド移動すれば、他のカウンタ１２も同時にスライド移動できるようになっているのである。
【００２５】
このため、複数のカウンタ１２を同時にスライド移動させることが容易にできる。
【００２６】
したがって、本実施の形態によれば、前述した実施の形態の場合と同様な効果を得ることができるのはもちろんのこと、複数のカウンタ１２を同時にスライド移動させることが容易にできるので、前述した実施の形態の場合よりも、効率よく作業を行うことができる。
【００２７】
本発明による抜取具の第三番目の実施の形態を図４を用いて説明する。なお、図４は、その概略構造図である。ただし、輪切バレル形遠心ポンプおよび前述した実施の形態で説明した部材と同様な部材については、前述した従来の技術および実施の形態の説明で用いた符号と同様な符号を用いることにより、その説明を省略する。
【００２８】
図４に示すように、ストッパ１４のガイドロッド１１他端側面上には、カウンタ１２のガイドロッド１１他端側のフランジ１２ａの外径と同一の内径の円筒状をなすシリンダ３６がガイドロッド１２と同軸をなして取り付けられている。シリンダ３６の内部には、カウンタ１２がガイドロッド１１の一端側を突出させるようにして配設されている。シリンダ３６のガイドロッド１１一端側端部には、カウンタ１２の本体１２ｃの外径と同一の内径をなす環型の蓋板３６ｂが取り付けられている。
【００２９】
ストッパ１４には、シリンダ３６の内部と連通する連通孔１４ａが形成されている。シリンダ３６の外周面のガイドロッド１１一端寄りには、当該シリンダ３６の内部と外部とを連通する連通孔３６ａが形成されている。ストッパ１４の連通孔１４ａには、高圧縮した空気１００をショット的に送給する図示しないエアコンプレッサが接続されている。シリンダ３６の連通孔３６ａには、空気１００を送給する図示しない空気送給装置が接続されている。
【００３０】
なお、本実施の形態では、ストッパ１４、シリンダ３６、前記エアコンプレッサ等により打撃力付与手段を構成している。
【００３１】
このような抜取具においては、前記エアコンプレッサを作動してシリンダ３６内に高圧縮の空気１００をショット的に供給すると、カウンタ１２にガイドロッド１１の他端側から一端側へ向かう方向の打撃力が加えられるので、カウンタ１２がガイドロッド１１の他端側から一端側へ向かう方向へ衝撃的にスライド移動し、ストッパ１４に衝突する。これにより、前述した第一番目の実施の形態の場合と同様に、ガイドロッド１１および内部ケーシング４を介して羽根車２に衝撃力が伝達され、当該羽根車２に吐出側方向への力を加えることができるので、当該羽根車２を主軸１から抜き取ることができる。そして、前記空気送給装置を作動してシリンダ３６内に空気を送給すれば、カウンタ１２をガイドロッド１１の一端側から他端側へ向けてスライド移動させて、当初の位置に復帰させることができる。
【００３２】
したがって、本実施の形態によれば、前述した実施の形態の場合と同様な効果を得ることができるのはもちろんのこと、カウンタ１２に高圧縮の空気１００で打撃力を加えるようにしたので、前述した実施の形態の場合よりも、作業にかかる労力を大幅に減らすことができる。
【００３３】
本発明による抜取具の第四番目の実施の形態を図５を用いて説明する。なお、図５は、その要部部材の概略構造図である。ただし、輪切バレル形遠心ポンプおよび前述した実施の形態で説明した部材と同様な部材については、前述した従来の技術および実施の形態の説明で用いた符号と同様な符号を用いることにより、その説明を省略する。
【００３４】
図５に示すように、前記内部ケーシング４の外周面に巻き付け可能なバンド４７には、ガイドロッド１１のおねじ部１１ａと螺合するめねじ部４８ａを形成された連結ブロック４８が当該バンド４７の長手方向に沿って所定の間隔で複数（本実施の形態では等間隔で二箇所）設けられている。バンド４７の両端側のフランジ４７ａ，４７ｂ間は、締結ボルト４９でその距離を調整できるように連結されている。
【００３５】
つまり、上記バンド４７を内部ケーシング４の外周面に巻き付け、締結ボルト４９を締め付けてバンド４７のフランジ４７ａ，４７ｂ間距離を縮めることにより、当該バンド４７を内部ケーシング４の外周面に密着させて連結ブロック４８を内部ケーシング４に一体的に取り付けることができ、当該連結ブロック４８を介してガイドロッド１１を内部ケーシング４に一体的に取り付けることができるようにしたのである。このようなバンド４７、連結ブロック４８、締結ボルト４９などにより、本実施の形態では連結手段を構成している。
【００３６】
このため、ガイドロッド１１のおねじ部１１ａと螺合するめねじ部４ａ等のない内部ケーシング４であったとしても、当該内部ケーシング４にガイドロッド１１を連結することができる。
【００３７】
したがって、本実施の形態によれば、前述した実施の形態の場合と同様な効果を得ることができるのはもちろんのこと、内部ケーシング４に特別に加工を施す必要がないので、低コストで簡単に実施することができると共に、既設の輪切バレル形遠心ポンプであっても適用することができる。さらに、内部ケーシング４の外径サイズに左右されることなく連結ブロック４８を内部ケーシング４に一体的に取り付けることができるので、低コストで簡単に実施することができる。
【００３８】
なお、前述した各実施の形態において、内部ケーシング４を抜き取る方向は、横方向であっても縦方向であってもどちらでもよい。しかしながら、横方向で内部ケーシング４を抜き取るようにすれば、カウンタ１２および内部ケーシング４に作用する重力による負荷を大幅に小さくすることができ、衝撃エネルギを効率よく利用することができるようになる。
【００３９】
【発明の効果】
本発明による抜取具は、ガイドロッドと、前記ガイドロッドにスライド移動可能に取り付けられたカウンタと、前記ガイドロッドの一端側に設けられ、前記カウンタのスライド移動を規制するストッパと、前記ガイドロッドを輪切バレル形遠心ポンプの主軸の軸心方向に沿わせるように当該ガイドロッドの他端側を当該輪切バレル形遠心ポンプの内部ケーシングに着脱可能に連結させる連結手段とを備えてなることから、連結手段でガイドロッドを内部ケーシングに主軸の軸心方向に沿わせるように連結し、カウンタをガイドロッドの一端側へ向けてスライド移動させ、ストッパにガイドロッドの一端側へ向かう方向の衝撃力を加えれば、ガイドロッドおよび連結手段を介して内部ケーシングにガイドロッドの一端側へ向かう方向の衝撃力を加えることができる。このため、内部ケーシングのガイドロッドの一端側に位置する羽根車に上記方向の衝撃力を加えることが容易にできるので、主軸に焼き嵌め固定された羽根車を容易に抜き取ることができる。
【００４０】
また、前記連結手段が前記ガイドロッドの他端に形成されたおねじ部と、前記内部ケーシングに形成されて前記ガイドロッドの前記おねじ部と螺合するめねじ部とを備えてなれば、内部ケーシングにガイドロッドを連結ことが簡単にできる。
【００４１】
また、前記ガイドロッドを複数有すると共に、これらガイドロッドに前記カウンタおよび前記ストッパが各々設けられ、前記めねじ部が前記内部ケーシングの周方向に沿って所定の間隔で複数形成されていれば、内部ケーシングにガイドロッドの一端側へ向かう方向の衝撃力を周方向に均等に加えることができるので、主軸の軸心に沿った均一の衝撃力を羽根車に加えることができ、主軸への羽根車の噛み込みを防ぐことができる。
【００４２】
また、各前記カウンタが互いに一体的に連結していれば、各カウンタが内部ケーシングに衝撃力を同時に加えるようになるので、当該衝撃力を周方向に均等に加えることが容易にできる。
【００４３】
また、前記連結手段が前記内部ケーシングに着脱可能に巻き付けられるバンドと、前記バンドに一体的に設けられ、前記ガイドロッドの前記おねじ部と螺合するめねじ部を有する連結ブロックとを備えてなれば、どのような内部ケーシングであっても、ガイドロッドを連結することができる。
【００４４】
また、前記ガイドロッドを複数有すると共に、これらガイドロッドに前記カウンタおよび前記ストッパが各々設けられ、前記連結ブロックが前記バンドの長手方向に沿って所定の間隔で複数設けられていれば、内部ケーシングにガイドロッドの一端側へ向かう方向の衝撃力を周方向に均等に加えることができるので、主軸の軸心に沿った均一の衝撃力を羽根車に加えることができ、主軸への羽根車の噛み込みを防ぐことができる。
【００４５】
また、前記カウンタに打撃力を加えて当該カウンタを前記ガイドロッドの一端側へスライド移動させる打撃力付与手段を設ければ、カウンタをスライド移動させることが容易にできるので、作業にかかる労力を削減することができる。
【図面の簡単な説明】
【図１】本発明による抜取具の第一番目の実施の形態の概略説明図である
【図２】本発明による抜取具の第二番目の実施の形態の概略構造図である。
【図３】図２の III−III 線断面矢視図である。
【図４】本発明による抜取具の第三番目の実施の形態の概略構造図である。
【図５】本発明による抜取具の第四番目の実施の形態の要部部材の概略構造図である。
【図６】輪切バレル形遠心ポンプの一例の要部の概略構造図である。
【符号の説明】
１  主軸
２  羽根車
３  案内羽根
４  内部ケーシング
４ａ  めねじ部
５  外部ケーシング
５ａ  吸込口
５ｂ  吐出口
６  ケーシングカバー
１１  ガイドロッド
１１ａ  おねじ部
１２  カウンタ
１２ａ，１２ｂ  フランジ
１２ｃ  本体
１３，１４  ストッパ
１４ａ  連通孔
２５  連結体
３６  シリンダ
３６ａ  連通孔
３６ｂ  蓋
４７  バンド
４８  連結ブロック
４８ａ  めねじ部
４９  締結ボルト
１００  空気
【図１】
0004131597.tif 000002
【図２】
0004131597.tif 000003
【図３】
0004131597.tif 000004
【図４】
0004131597.tif 000005
【図５】
0004131597.tif 000006
【図６】
0004131597.tif 000007